(57)【特許請求の範囲】
【請求項１】
制御端末装置によってコンテンツ再生が制御され、該制御端末装置によってグループ化された場合には同一グループに所属する他のオーディオ機器と同一コンテンツを同期再生するオーディオ機器であって、
前記グループ用の機器名称および非グループ用の機器名称を記憶する記憶部と、
前記制御端末装置によって前記グループにおける前記同期再生するコンテンツの供給元であるマスタ機器として設定された場合には該制御端末装置からグループ用の機器名称を受信して前記記憶部のグループ用の機器名称を更新する制御部と、
を備え、
前記制御部は、前記制御端末装置を含む他の端末装置に対する機器名称の送信時、マスタ機器として設定されている場合には前記グループ用の機器名称を送信し、マスタ機器の設定が解除されている場合には前記非グループ用の機器名称送信する、
オーディオ機器。
【請求項２】
複数のオーディオ機器のコンテンツ再生を制御するとともに、２台以上のオーディオ機器をグループ化し、該グループで同一のコンテンツを同期再生させる、制御端末装置のコンピュータを、
前記グループの設定操作を受け付ける手段であって、前記グループにおいて前記同期再生するコンテンツの供給元であるマスタ機器の選択を受け付ける手段、および、前記グループにおいて前記マスタ機器から前記同期再生するコンテンツを受信するクライアント機器の選択を受け付ける手段、を有する第１手段、
前記第１手段によってグループが設定された場合、機器名称をグループ用の機器名称に変更する要求または機器名称にグループ用の機器名称を追加する要求である設定時要求を、前記グループに所属するオーディオ機器に送信し、前記第１手段によってグループの設定が解除された場合、機器名称を非グループ用の機器名称に変更する要求または機器名称からグループ用の機器名称を削除する要求である解除時要求を、解除前に前記グループに所属していたオーディオ機器に送信する第２手段、
として機能させるオーディオシステム制御プログラム。
【請求項３】
前記第２手段は、前記設定時要求を、前記マスタ機器に送信し、前記解除時要求を、解除前に前記マスタ機器であったオーディオ機器に送信する請求項２に記載のオーディオシステム制御プログラム。
【請求項４】
前記グループ用の機器名称は、前記マスタ機器と同一グループに所属する前記クライアント機器の台数を特定する情報が含まれる請求項３に記載のオーディオシステム制御プログラム。
【請求項５】
前記グループ用の機器名称および非グループ用の機器名称は、前記オーディオ機器が設置されているエリアの名称が含まれ、
前記台数を特定する情報は、前記クライアント機器が設置されているエリアのエリア数を特定する情報である請求項４に記載のオーディオシステム制御プログラム。
【請求項６】
複数のオーディオ機器のコンテンツ再生を制御するとともに、２台以上のオーディオ機器をグループ化し、該グループで同一のコンテンツを同期再生させる、制御端末装置であって、
前記オーディオ機器の機器名称に関する情報およびグループ名称に関する情報を記憶する記憶部と、
前記グループの設定操作を受け付ける操作部であって、前記グループにおいて前記同期再生するコンテンツの供給元であるマスタ機器の選択を受け付け、前記グループにおいて前記マスタ機器から前記同期再生するコンテンツを受信するクライアント機器の選択を受け付ける操作部と、
前記操作部によってグループが設定された場合、機器名称をグループ用の機器名称に変更する要求または機器名称にグループ用の機器名称を追加する要求である設定時要求を、前記グループに所属するオーディオ機器にに送信し、前記操作部によってグループの設定が解除された場合、機器名称を非グループ用の機器名称に変更する要求または機器名称からグループ用の機器名称を削除する要求である解除時要求を、解除前に前記グループに所属していたオーディオ機器に送信する名称設定部と、
を備えた制御端末装置。
【請求項７】
ネットワークを介して接続された前記複数のオーディオ機器と通信する通信部を、さらに備えた請求項６に記載の制御端末装置。
【請求項８】
前記名称設定部は、前記設定時要求を、前記マスタ機器に送信し、前記解除時要求を、解除前に前記マスタ機器であったオーディオ機器に送信する請求項６または請求項７に記載の制御端末装置。
【請求項９】
前記グループ用の機器名称は、前記マスタ機器と同一グループに所属する前記クライアント機器の台数を特定する情報が含まれる請求項８に記載の制御端末装置。
【請求項１０】
前記グループ用の機器名称および非グループ用の機器名称は、前記オーディオ機器が設置されているエリアの名称が含まれ、
前記台数を特定する情報は、前記クライアント機器が設置されているエリアのエリア数を特定する情報である請求項９に記載の制御端末装置。
【発明の詳細な説明】
【技術分野】
【０００１】
この発明は、２台以上のオーディオ機器からなるグループで同一のコンテンツを同期再生させるオーディオシステムに関する。
【背景技術】
【０００２】
近年のオーディオシステムでは、リビングルームや寝室などの各部屋（エリア）に配置された複数のオーディオ機器（再生デバイス）がネットワーク（特に無線ネットワーク）に接続され、携帯端末装置によって各オーディオ機器のコンテンツ再生などが制御されている（たとえば、特許文献１参照）。携帯端末装置は、専用のアプリケーションプログラムを起動してシステムを制御する。
【０００３】
たとえば、ユーザは、携帯端末装置の画面を視認しつつタッチパネルを操作して１のオーディオ機器を選択し、選択したオーディオ機器に対して再生などを指示することができる。この場合、選択した１のオーディオ機器がグループに所属していれば、選択したオーディオ機器に対する再生を指示することで、グループに所属している複数のオーディオ機器での同期再生が行われる。
【０００４】
上述のオーディオ機器は、オーディオシステム専用のアプリケーションプログラムだけでなく、ネットワークを介した楽曲配信サービスのアプリケーションプログラムを実行する携帯端末装置からの指示にも対応する。楽曲配信サービスのアプリケーションプログラムは、携帯端末装置を、配信サーバにあるコンテンツをオーディオ機器に再生させるためコントローラとして機能させる。この楽曲配信サービスのアプリケーションプログラムを実行する携帯端末装置では、オーディオ機器の名称変更や上述のグループの設定などを行うための機能はないが、再生／停止、音量調節などの配信サーバのコンテンツ再生に関連する一般的な指示をオーディオ機器に対して行うことができる。なお、この場合でも、グループに所属するオーディオ機器を選択して再生の指示を行った場合には同期再生が行われる。
【先行技術文献】
【特許文献】
【０００５】
【特許文献１】特開２０１３−２５１５９４号公報
【発明の開示】
【発明が解決しようとする課題】
【０００６】
上述した楽曲配信サービスのアプリケーションプロプログラムを実行する携帯端末装置では、画面に表示されるオーディオ機器の情報としてグループに関する情報が含まれず、ユーザは選択したオーディオ機器において単体での再生が行われているのかグループでの同期再生が行われているのかを把握し難かった。
【０００７】
そこで本発明の目的は、同期再生のグループの設定状況に応じてオーディオ機器の機器名称の表示を変更できるようにすることにある。
【課題を解決するための手段】
【０００８】
本発明のオーディオ機器は、制御端末装置によってコンテンツ再生が制御され、制御端末装置によってグループ化された場合には同一グループに所属する他のオーディオ機器と同一コンテンツを同期再生し、記憶部および制御部を備える。記憶部は、グループ用の機器名称および非グループ用の機器名称を記憶する。制御部は、制御端末装置によってグループにおける同期再生するコンテンツの供給元であるマスタ機器として設定された場合には制御端末装置からグループ用の機器名称を受信して記憶部のグループ用の機器名称を更新する。また、制御部は、制御端末装置を含む他の端末装置に対する機器名称の送信時、マスタ機器として設定されている場合にはグループ用の機器名称を送信し、マスタ機器の設定が解除されている場合には非グループ用の機器名称送信する。
【０００９】
本発明のオーディオシステム制御プログラムは、複数のオーディオ機器のコンテンツ再生を制御するとともに、２台以上のオーディオ機器をグループ化し、該グループで同一のコンテンツを同期再生させる、制御端末装置のコンピュータを、グループの設定操作を受け付ける手段であって、グループにおいて同期再生するコンテンツの供給元であるマスタ機器の選択を受け付ける手段、および、グループにおいてマスタ機器から同期再生するコンテンツを受信するクライアント機器の選択を受け付ける手段、を有する第１手段、第１手段によってグループが設定された場合、機器名称をグループ用の機器名称に変更する要求または機器名称にグループ用の機器名称を追加する要求である設定時要求をグループに所属するオーディオ機器に送信し、第１手段によってグループの設定が解除された場合、機器名称を非グループ用の機器名称に変更する要求または機器名称からグループ用の機器名称を削除する要求である解除時要求を解除前にグループに所属していたオーディオ機器に送信する第２手段、として機能させる。
【００１０】
上記発明において、第２手段は、設定時要求をマスタ機器に送信し、前記解除時を解除前にマスタ機器であったオーディオ機器に送信するようにしてもよい。
上記発明において、グループ用の機器名称は、マスタ機器と同一グループに所属するクライアント機器の台数を特定する情報が含まれるようにしてもよい。
【００１１】
上記発明において、グループ用の機器名称および非グループ用の機器名称は、オーディオ機器が設置されているエリアの名称が含まれ、台数を特定する情報は、クライアント機器が設置されているエリアのエリア数を特定する情報であってもよい。
【００１２】
本発明の制御端末装置は、複数のオーディオ機器のコンテンツ再生を制御するとともに、２台以上のオーディオ機器をグループ化し、該グループで同一のコンテンツを同期再生させ、記憶部、操作部および名称設定部を備える。記憶部は、オーディオ機器の機器名称に関する情報およびグループ名称に関する情報を記憶する。操作部は、グループの設定操作を受け付け、グループにおいて同期再生するコンテンツの供給元であるマスタ機器の選択を受け付け、グループにおいてマスタ機器から同期再生するコンテンツを受信するクライアント機器の選択を受け付ける。名称設定部は、操作部によってグループが設定された場合、機器名称をグループ用の機器名称に変更する要求または機器名称にグループ用の機器名称を追加する要求である設定時要求をグループに所属するオーディオ機器にに送信し、操作部によってグループの設定が解除された場合、機器名称を非グループ用の機器名称に変更する要求または機器名称からグループ用の機器名称を削除する要求である解除時要求を解除前にグループに所属していたオーディオ機器に送信する。
【００１３】
上記発明において、ネットワークを介して接続された複数のオーディオ機器と通信する通信部を、さらに備えるようにしてもよい。
【発明の効果】
【００１４】
この発明によれば、同期再生のグループの設定状況に応じてオーディオ機器の機器名称の表示を変更できるようにすることが可能になる。
【図面の簡単な説明】
【００１５】
【図１】この発明が適用されるオーディオシステムの構成図
【図２】この発明が適用され、コントローラとして機能する携帯電話機のブロック図
【図３】この発明が適用され、コントローラとして機能する携帯電話機のブロック図
【図４】この発明が適用されるオーディオ機器のブロック図
【図５】ホスト機器およびコントローラに設定されるシステム管理テーブルの例を示す図
【図６】コントローラに設定されるオーディオ制御テーブルの例を示す図
【図７】コントローラに設定されるルームテーブルの例を示す図
【図８】コントローラとオーディオ機器の通信手順を示す図
【図９】コントローラとオーディオ機器の通信手順を示す図
【図１０】コントローラとオーディオ機器の通信手順を示す図
【図１１】コントローラとオーディオ機器の通信手順を示す図
【図１２Ａ】携帯電話機のコントロール画面（初期メニュー画面）の一例を示す図
【図１２Ｂ】携帯電話機のコントロール画面（ルーム選択画面）の一例を示す図
【図１２Ｃ】携帯電話機のコントロール画面（ソース選択画面）の一例を示す図
【図１２Ｄ】携帯電話機のコントロール画面（再生画面）の一例を示す図
【図１３Ａ】携帯電話機のコントロール画面（マスタルーム選択画面）の一例を示す図
【図１３Ｂ】携帯電話機のコントロール画面（クライアントルーム選択画面）の一例を示す図
【図１４Ａ】携帯電話機のコントロール画面（ルーム選択画面）の一例を示す図
【図１４Ｂ】携帯電話機のコントロール画面（ソース選択画面）の一例を示す図
【図１５】コントローラ（制御部）の制御処理を示すフローチャート
【図１６】コントローラ（制御部）のグループ設定処理を示すフローチャート
【図１７Ａ】携帯電話機のコントロール画面（機器選択画面）の一例を示す図
【図１７Ｂ】携帯電話機のコントロール画面（機器選択画面）の一例を示す図
【発明を実施するための形態】
【００１６】
図１は、本発明が適用されるオーディオシステム１０の構成を示す図である。オーディオシステム１０は、有線ＬＡＮ２およびアクセスポイント（外部アクセスポイント）３を含むネットワーク９で接続された複数のオーディオ機器４（４−１〜４−６）、および、コントローラ１として機能する多機能携帯電話機（携帯端末装置）１を有している。各オーディオ機器４は、ネットワーク９を介して相互にオーディオ信号の送受信を行う。コントローラ１は、ネットワーク９を介してオーディオ機器４に対してコマンドメッセージを送信する。
【００１７】
オーディオシステム１０を構成する各オーディオ機器４（以下、コンポーネント機器とも言う）は、有線ＬＡＮ機能および２つの無線ＬＡＮ機能を有している。オーディオ機器４は、２つの無線ＬＡＮ機能の一方を用いてアクセスポイントを起動することができる。オーディオ機器４によって起動されたアクセスポイントは内部アクセスポイント４Ａと呼ばれる。内部アクセスポイント４Ａには、下位のオーディオ機器４が接続される。内部アクセスポイント４Ａは、通常は（後述のイニシャル接続時以外は）ステルスモードで動作しており、他の機器にその存在を知られにくいようになっている。もう一方の無線ＬＡＮ機能は、無線ＬＡＮの子機として機能し、上位のオーディオ機器４の内部アクセスポイント４Ａ、または、外部アクセスポイント３に接続される。
【００１８】
有線ＬＡＮ２にはアクセスポイント（外部アクセスポイント）３が接続されている。オーディオ機器４−１は有線ＬＡＮ２にケーブルで接続されている。オーディオ機器４−２，４−３は、上位のオーディオ機器４−１の内部アクセスポイント４Ａ−１に無線ＬＡＮで接続されている。オーディオ機器４−４は、上位のオーディオ機器４−２の内部アクセスポイント４Ａ−２に無線ＬＡＮで接続されている。また、オーディオ機器４−５は、上位のオーディオ機器４−３の内部アクセスポイント４Ａ−３に無線ＬＡＮで接続されている。オーディオ機器４−６は、外部アクセスポイント３に接続されている。
【００１９】
この実施形態において、ネットワーク９は、有線ＬＡＮ２、および、外部アクセスポイント３、内部アクセスポイント４Ａを含む無線ＬＡＮで構成される。有線ＬＡＮ２は、たとえばＥｔｈｅｒｎｅｔ（登録商標：ＩＥＥＥ８０２．３）が用いられればよく、無線ＬＡＮは、Ｗｉ−Ｆｉ（ＩＥＥＥ８０２．１１ｇ）が用いられればよい。また、ネットワーク９には、有線ＬＡＮ２からゲートウェイ（不図示）およびインターネット５経由で配信サーバ６が接続されている。配信サーバ６は、オーディオ機器４に楽曲データを配信する。
【００２０】
各オーディオ機器４は、有線ＬＡＮ２に対する接続の形態に応じてルート機器、ノード機器、リーフ機器、および、ブランチ機器と呼ばれる。ルート機器は、有線ＬＡＮ２に直接（ケーブルで）接続されている最上位の機器であり、図１においてオーディオ機器４−１がルート機器である。ルート機器は、オーディオシステム１０の構築時に最初に登録されたオーディオ機器であり、オーディオシステム１０の基点となる。ルート機器は、下位のオーディオ機器４をネットワークに接続してオーディオシステム１０に参加させるための内部アクセスポイント４Ａを起動する。ルート機器以下に接続されているオーディオ機器４（ノード機器、リーフ機器）で再生される音楽情報は全てここを経由して送信されることになる。
【００２１】
ノード機器は、無線ＬＡＮによってルート機器（ルート機器の内部アクセスポイント４Ａ）に接続されている中位の機器であり、図１においてオーディオ機器４−２，４−３がノード機器である。ノード機器は、下位のオーディオ機器４をネットワークに接続してオーディオシステム１０に参加させるための内部アクセスポイント４Ａを起動する。ノード機器以下に接続されているオーディオ機器４（リーフ機器）で再生される音楽情報はここを経由して送信されることになる。
【００２２】
リーフ機器は、無線ＬＡＮによってノード機器（ノード機器の内部アクセスポイント４Ａ）に接続されている下位の機器であり、図１においてオーディオ機器４−４，４−５がリーフ機器である。なお、リーフ機器は、内部アクセスポイント４Ａを起動しないが、起動するようにしてもよい。
【００２３】
ブランチ機器は、ルート機器を頂点とするツリーとは別に外部アクセスポイント３に無線ＬＡＮで接続され有線ＬＡＮ２を経由してオーディオシステム１０内の他のオーディオ機器４と通信するオーディオ機器４であり、図１においては、オーディオ機器４−６がブランチ機器である。なお、ブランチ機器は、内部アクセスポイント４Ａを起動しないが、起動するようにしてもよい。
【００２４】
このオーディオシステムでは、高品質のオーディオ信号の伝送のため、ルート機器には２台までのノード機器の接続が許可される。また、各ノード機器には２台までのリーフ機器の接続が許可される。また、内部アクセスポイント４Ａを用いた接続の階層は、ルート機器−ノード機器−リーフ機器の３階層までとする。したがって、ルート機器を頂点とする無線ＬＡＮのツリーにより、ルート機器を含めて７台までのオーディオ機器を接続することができる。図1に示したツリーには、５台のオーディオ機器４（４−１〜４−５）が接続されている。また、ブランチ機器の台数に制限はないが、コントローラ１の制御対象としては、オーディオシステム１０全体でオーディオ機器４の台数が１０台までに制限される。ただし本発明において、ツリーの階層の数、各オーディオ機器４に接続可能な下位の機器の台数などの最大数は、この実施形態に限定されない。
【００２５】
また、各オーディオ機器４−１〜４−６は、図１に示すように、居宅内のリビングルーム、ダイニングルーム、ベッドルーム、キッチン、ルームＡ、ルームＢの各ルーム（エリア）に配置されている。
【００２６】
オーディオシステム１０の各オーディオ機器４−１〜４−６は、それぞれ別々のコンテンツを独立して再生可能であるが、オーディオシステム１０では、複数のオーディオ機器をグループ化することができ、グループされた複数のオーディオ機器では、同一のオーディオソースから供給されるコンテンツが同期再生される。コンテンツは、たとえば、楽曲である。オーディオソースは、各オーディオ機器４−１〜４−６が備えるＣＤ、ハードディスクなどのメディアや配信サーバ６による楽曲配信サービスなどがある。楽曲データのファイル形式は、例えば、ＭＰ３、ＷＡＶ、ＳｏｕｎｄＶＱ（登録商標）、ＷＭＡ（登録商標）、ＡＡＣなどである。
【００２７】
携帯電話機１は、オーディオシステム制御プログラム７０（図２参照）が起動されることによりオーディオシステムコントローラ（以下、コントローラ）１として機能する。携帯電話機１（コントローラ１）は、オーディオシステム１０に所属する各オーディオ機器４とネットワーク９を介して通信する。コントローラ１は、この通信により、オーディオシステム１０の各オーディオ機器４−１〜４−６で再生するオーディオソース（たとえば、どのオーディオ機器４でどの楽曲を再生するか、どの楽曲をどのオーディオ機器４に配信するかなど）やその音量などを統括制御する。また、各オーディオ機器４は、ネットワーク９を介して他のオーディオ機器４と通信し、相互にオーディオ信号を送受信する。
【００２８】
オーディオシステム制御プログラム７０は、オーディオシステム１０用のアプリケーションプログラムであり、オーディオ機器４に対する再生などの一般的なコマンド機能のほか、オーディオシステム１０を構築する機能、オーディオシステム１０に所属するオーディオ機器４の同期再生を行うグループの設定機能を携帯電話機１に実現させる。オーディオシステム１０を構築する機能としては、オーディオシステム１０へ新たなオーディオ機器４が追加されたとき、コントローラ１がこのオーディオ機器４を追加する更新を行う機能も含まれる。詳細は後述する。
【００２９】
携帯電話機１は、他のアプリケーションプログラムを起動することにより、オーディオ機器４に対して他の機能を制御するコントローラとしても機能する。たとえば、ネット配信制御プログラム１７０（図３参照）が起動されることにより楽曲配信サービスの選曲等を行うネット配信コントローラとして機能する。この実施形態では、オーディオシステム制御プログラム７０が実行される携帯電話機１とは別の携帯電話機１００で配信制御プログラム１７０を実行する例を示しているが、同じ携帯電話機１でオーディオシステム制御プログラム７０および配信制御プログラム１７０を順次または並行して起動してもよい。ネット配信コントローラ１００もネットワーク９を介してオーディオ機器４と通信する。
【００３０】
ネット配信制御プログラム１７０は、オーディオ機器４に配信サーバ６の楽曲の再生を行わせるためのコマンド機能を携帯電話機１００で実現し、携帯電話機１００をコントローラ１００として機能させるプログラムである。具体的には、ネット配信コントローラ１００は、通信によって、各オーディオ機器４−１〜４−６で再生するコンテンツ（たとえば、どのオーディオ機器４で、配信サーバ６のどの楽曲を再生させるかなど）やその音量などを統括制御する。
【００３１】
次に、図２のブロック図を参照して、携帯電話機１の構成を説明する。携帯電話機１は、いわゆるスマートフォンと言われる多機能電話機である。携帯電話機１は、携帯通信網である３Ｇ／４Ｇ通信機能、無線ＬＡＮ（Ｗｉ−Ｆｉ）通信機能、および、Ｂｌｕｅｔｏｏｔｈ（登録商標）通信機能を有している。携帯電話機１は、アプリケーションプログラムであるオーディオシステム制御プログラム７０を起動することにより、コントローラ１として機能し、ネットワーク９経由でオーディオシステムのオーディオ機器４と通信し、ユーザの操作に応じたコマンドメッセージをオーディオ機器４に送信してオーディオシステムを制御する。
【００３２】
携帯電話機１は、バス２６上に、制御部２０、操作部３０、メディアインタフェース３１、Ｗｉ−Ｆｉ通信回路３２、３Ｇ／４Ｇ通信回路３３、および、Ｂｌｕｅｔｏｏｔｈ（登録商標）通信部３４を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は液晶のディスプレイを含んでいる。ディスプレイには、待ち受け画面や電話番号などが表示される。また、コントローラ１として機能する場合は、オーディオ機器４を制御するための画面が表示される。音声プロセッサ２５には、Ｄ／Ａコンバータを含むアンプ４２が接続され、アンプ４２にはスピーカ１６が接続されている。
【００３３】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、オーディオシステム制御プログラム７０が起動された場合には、ＣＰＵ２１の指示に従ってオーディオコントローラの画像を生成し、これをＶＲＡＭ４０上に展開する。ＶＲＡＭ４０上に展開された画像は表示部４１に表示される。
【００３４】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００３５】
無線ＬＡＮ通信回路３２は、ルータ２との間でＩＥＥＥ８０２．１１ｇなどの規格で無線通信を行い、アクセスポイント３，７を介してオーディオ機器４と通信する。３Ｇ／４Ｇ通信回路３３は、携帯電話通信網を介して、音声通話およびデータ通信を行う。Ｂｌｕｅｔｏｏｔｈ通信部３４は、他のＢｌｕｅｔｏｏｔｈ対応機器と通信し、例えばオーディオ信号の送受信等を行う。
【００３６】
操作部３０は、表示部４１上に形成されたタッチパネル３１０（図１１等参照）を含み、タッチパネル３１０上のタッチ操作、フリック操作を検出する。オーディオシステム制御プログラム７０が起動されると、表示部４１には、セットアップボタン、スキャンボタンなどの複数の操作子が表示される。操作部３０は、タッチパネル３１０でユーザのタッチ操作およびその座標を検出し、どの操作子が操作されたかを判断する。
【００３７】
メディアインタフェース３１にはメモリカード１５が接続される。メモリカード１５は、たとえばマイクロＳＤカードである。オーディオシステム制御プログラム７０は、メモリカード１５またはＲＯＭ２２に保存される。この実施形態では、図２に示したように、オーディオシステム制御プログラム７０はメモリカード１５に保存されるものとする。なお、オーディオシステム制御プログラム７０は、３Ｇ／４Ｇまたは無線ＬＡＮのデータ通信によってダウンロードされてもよく、ＲＯＭ２２またはメモリカード１５に予め記憶されていてもよい。また、メモリカード１５には、オーディオシステムの構成を記憶する記憶エリア７１が設定される。
【００３８】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２０がオーディオシステム制御プログラム７０を実行する際に使用されるワークエリアが設定される。
【００３９】
次に、図３のブロック図を参照して、携帯電話機１００の構成を説明する。携帯電話機１００は、携帯電話機１と同様の構成の多機能電話機である。したがって、詳細な説明は省略するが、携帯電話機１００は、ネット配信制御プログラム１７０を起動することにより、ネット配信コントローラ１００として機能し、ネットワーク９経由でオーディオシステム１０のオーディオ機器４と通信し、ユーザの操作に応じたコマンドメッセージを送信してオーディオ機器４の配信サーバ６の楽曲再生を制御する。また、メモリカード１１５には、通信可能なオーディオ機器４の情報（ＩＰアドレスや機器名称など）を記憶する記憶エリア１７１が設定される。なお、説明の容易化のために、ネット配信制御プログラム１７０が起動される携帯電話機１００（ネット配信コントローラ１００）とオーディオシステム制御プログラム７０が起動される携帯電話機１（オーディオシステムコントローラ１）とは別の携帯電話機であるとしたが、オーディオシステムコントローラ１とネット配信コントローラ１００とは同じ携帯電話機であってもよい。たとえば、ユーザによるオーディオシステムコントローラ１の操作によって、オーディオ機器４のオーディオソースとしてネット配信が選択されたとき、携帯電話機１がネット配信コントローラ１００を自動起動して、携帯電話機１上でネット配信のコンテンツの選択を可能にするなどである。
【００４０】
次に図４を参照してオーディオ機器４の構成について説明する。オーディオ機器４は、制御部５０、オーディオ処理部５１、操作部５９およびメモリ６０を有するとともに、２つの無線ＬＡＮ通信部（ＲＦモジュール）５６、５７および有線ＬＡＮ通信部５８を有している。操作部５９はボリューム操作子（不図示）の他、コネクトボタン５９Ａを有している。制御部５０は、ＣＰＵおよびメモリを含み、オーディオシステムプログラム５０Ａを記憶している。制御部５０は、オーディオシステムプログラム５０Ａにより、オーディオ処理部５１および無線ＬＡＮ通信部５６、５７、有線ＬＡＮ通信部５８の動作を制御する。これにより、オーディオ機器４は、コンテンツを再生する再生デバイス、同期再生を制御するマスタとなる同期再生コントローラとして機能する。また、制御部５０は、コネクトボタン５９Ａが押下されたとき、このオーディオ機器４をネットワーク９に接続するための動作であるイニシャル接続動作を実行する。イニシャル接続動作の詳細は後述する。
【００４１】
無線ＬＡＮ通信部５６は、ＩＥＥＥ８０２．１１ｇなどの無線ＬＡＮ規格で外部アクセスポイント３または上位オーディオ機器４の内部アクセスポイント４Ａと無線通信を行う。また、もう一つの無線ＬＡＮ通信部５７は、アクセスポイント（内部アクセスポイント４Ａ）として起動され、他のオーディオ機器（たとえばオーディオ機器４−２，４−３など）を有線ＬＡＮ２に中継する。また、無線ＬＡＮ通信部５７は、このオーディオ機器４のイニシャル接続時にもイニシャル接続用の仮アクセスポイントとして起動され、コントローラ１（携帯電話機１）と通信する。イニシャル接続時の動作は後述する。なお、２つの無線ＬＡＮ通信部５６、５７は、１つのハードウェアを時分割で動作させて実現してもよい。有線ＬＡＮ通信部５８は、ケーブルコネクタを有し、ＩＥＥＥ８０２．３などの通信規格で有線ＬＡＮ２−アクセスポイント３を介した通信を行う。アクセスポイント３には、コントローラ（携帯電話機）１が接続されており、制御部５０は、ネットワーク９を経由してコントローラ１と通信し、動作状態を送信したり、コマンドメッセージを受信したりする。
【００４２】
内部アクセスポイント４ＡのＳＳＩＤおよびパスワードは、無線ＬＡＮ通信部５７のＭＡＣアドレスから割り出し可能な文字列にされている。たとえば、ＭＡＣアドレスをオクテット表現したものをＳＳＩＤとし、下３オクテット（機種ＩＤ＋シリアル番号）をパスワードとするなどである。これにより、新たにオーディオシステムに参加するオーディオ機器は、ＳＳＩＤに基づいて、すなわち、ＭＡＣアドレスのベンダーＩＤおよび機種ＩＤに基づいて、内部アクセスポイント４Ａを発見することができ、且つ、自らパスワードを生成してその内部アクセスポイント４Ａに接続することができる。これにより、内部アクセスポイント４Ａに接続する場合の、ユーザによるＳＳＩＤ、パスワードの入力を省略することができる。なお、内部アクセスポイント４ＡのＳＳＩＤ、パスワードの生成方式は上記のものに限定されない。
【００４３】
オーディオ処理部５１は、チューナ５２、オーディオ回路５３、パワーアンプ５４を有している。チューナ５２は、ＦＭ放送またはインターネットからオーディオ信号を受信してオーディオ回路５３に入力する。オーディオ回路５３は、入力されたオーディオ信号に対してイコライズ、音量調整などの処理を行ったのち、この処理されたオーディオ信号をパワーアンプ５４に出力する。パワーアンプ５４は入力されたオーディオ信号を増幅し、外部接続されているスピーカ５５に出力する。スピーカ５５は、入力されたオーディオ信号を音響として放音する。メモリ６０は、たとえばＥＥＰＲＯＭであり、オーディオ機器４自身の機器情報（機器名称、無線ＬＡＮ通信部のＭＡＣアドレスやＩＰアドレス、設置場所など）、システム情報（システム管理テーブル：図５参照）などを記憶する。機器名称は複数種類が記憶され、機器の出荷時に書き込まれる「デバイス名」、このオーディオ機器がオーディオシステム１０に登録されたときに書き込まれる「ルーム名」、このオーディオ機器がグループのマスタ機器（詳細後述）となったとき書き込まれる「グループ名」が含まれる。「ルーム名」が本発明の非グループ用の機器名称に対応し、および、「グループ名」が本発明のグループ用の機器名称に対応する。
【００４４】
なお、オーディオ機器４−１〜４−６は、それぞれ異なる機器であってよいが、通信機能およびオーディオ信号処理機能の基本的な構成は図４に示したものである。
【００４５】
図５および図６は、オーディオシステム１０を管理するテーブルの一例を示す図である。図５は、ネットワーク９における各オーディオ機器４の接続形態を管理するシステム管理テーブルである。また、図６は、オーディオシステム１０における各オーディオ機器４の動作を管理するオーディオ制御テーブルである。システム管理テーブルは、主としてルート機器４−１によってネットワーク接続の管理に用いられる。また、オーディオ制御テーブルは、主としてコントローラ１によって、オーディオソースの再生制御に用いられる。
【００４６】
システム管理テーブルは、オーディオシステム１０を構成する各オーディオ機器４（コンポーネント機器）の接続形態を記憶したものであり、オーディオシステム１０の構築時にコントローラ１が作成する。また、オーディオシステム１０へ新たなオーディオ機器４が追加されたとき、コントローラ１がこのオーディオ機器４を追加する更新を行う。作成または追加更新されたシステム管理テーブルは、コントローラ１からルート機器４−１に送信される。その後、システム管理テーブルは、オーディオシステム１０の動作中に、いずれかのコンポーネント機器の切断または再接続が発生するごとに、ルート機器４−１よって更新される。また、ルート機器４−１は、定期的にシステム管理テーブルの内容の全部または一部をシステム情報として各コンポーネント機器およびコントローラ１に送信する。これにより、各コンポーネント機器およびコントローラ１は常に最新のシステム情報を保持することができる。以上のシステム情報の送信の詳細動作については後述する。
【００４７】
システム管理テーブルは、このオーディオシステム１０を識別するためのシステムＩＤで識別される。各コンポーネント機器は、各機器の機器ＩＤに対応づけて、上位側（子機側）／下位側（内部アクセスポイント側）のＭＡＣアドレス（すなわち無線ＬＡＮ通信部５６／５７のＭＡＣアドレス）、上位側／下位側のＩＰアドレス（すなわち無線ＬＡＮ通信部５６／５７のＩＰアドレス）、ルート機器４−１からの接続段数（ＨＯＰ数）、内部アクセスポイントの起動の有無、内部アクセスポイント４Ａに接続している下位機器の数（Ｃｈｉｌｄ数）などの情報を記憶している。
【００４８】
なお、各コンポーネント機器は、個別のＩＰアドレスを有しているが、このオーディオシステム１０は、マルチキャストグループとしてマルチキャストアドレスが設定されている。このマルチキャストアドレス宛に上記のシステム情報のＩＰパケットを送信することにより、オーディオシステム１０の全コンポーネント機器にこのシステム情報パケットを受信させることができる。なお、システム情報パケットを各コンポーネント機器のＩＰアドレス宛にユニキャストで送信してもよいが、マルチキャストで送信することによりットワーク９の負荷を小さくすることができる。
【００４９】
図６のオーディオ制御テーブルは、各機器の機器ＩＤに対応づけて、各コンポーネント機器の上位側ＩＰアドレス（無線ＬＡＮ通信部５６のＩＰアドレス）、機種、設置場所、グループ、サービス、ボリューム値などの各種設定情報が記憶される。オーディオ制御テーブルの各欄とシステム管理テーブルの各欄とは機器ＩＤで対応づけられる。コントローラ１は、このオーディオ制御テーブルの内容に基づいてコントロール画面（図１２〜１４参照）を作成し、ユーザによる各コンポーネント機器の制御を受け付ける。コントローラ１は、定期的にオーディオ制御テーブルおよび後述するルームテーブルの内容の全部または一部を設定情報として各コンポーネント機器に送信する。これにより、各コンポーネント機器は常に最新の設定情報を保持することができる。
【００５０】
設置場所（ルーム名）は、オーディオ機器が設置されているルーム（エリア）を特定する情報であり、機器のシステム登録時にアプリ（コントローラ１）から送信されてきて各コンポーネント機器でオーディオ制御テーブルとは別に各々保存されている。図６では名称が表示されているが、設置場所には、たとえば、設置されているルームのルームＩＤが登録されている。ルームＩＤは、図７に示すルームテーブルの各情報と対応づけられている。図７は、ルームテーブルの一例を示す図である。ルームテーブルは、オーディオ機器４を設置するルームに関する情報が登録されている。具体的には、ルームＩＤに対応付けて、ルーム名、背景画像が登録されている。ルーム名は、リビングルーム（Living Room）などのルームの名称データである。このルーム名が、オーディオ機器４のメモリ６０に「ルーム名」として登録される。背景画像は、携帯電話機１でのコントロール画面で表示されるルーム選択ボタン（エリア選択画像）などの背景画像として用いられる画像である。たとえば、画像データのファイル名が登録されている。
【００５１】
グループは、オーディオ機器（ルーム）が所属するグループの情報であり、上述したコンテンツの同期再生を行うグル―プを示す。なお、この実施形態では、１つのグループのみが設定される。また、１グループに所属するオーディオ機器は、同期再生マスタ（マスタ機器）と、同期再生クライアント（クライアント機器）のいずれかに設定される。
【００５２】
同期再生マスタは、グループ全体へのオーディオソースの供給および同期再生の制御を担当するとともに、また自身も同期再生の１機器として機能する。同期再生クライアントは、同期再生マスタの指示にしたがってコンテンツを再生する。例えば、同図に示す「１Ａ」は、同期再生マスタとしてグループに所属するオーディオ再生機器（ルーム）を示す。また、「１Ｂ」は、同期再生スレーブとしてグループに所属するオーディオ再生機器（ルーム）を示す。「１Ａ」，「１Ｂ」以外は、グループに所属していないオーディオ再生機器を示す。グループは、上述したようにコントローラ１を操作してルーム（エリア）単位で設定することができる。詳細は後述する。
【００５３】
サービスは、オーディオ機器が再生可能なオーディオソースであり、ＣＤ（ＣＤプレーヤ）、Ｒａｄｉｏ（ＦＭ放送、ネットラジオを含む）、ネット配信等がある。ネット配信とは、オーディオ機器４がインターネット５を介して楽曲配信サービスの配信サーバ６にアクセスし、ユーザによって選択された楽曲（コンテンツ）のオーディオデータをストリーミングでダウンロードして再生する機能である。携帯電話機１（１００）を用いて、オーディオ機器４のネット配信を制御するために、携帯電話機１（１００）でネット配信制御プログラム１７０が起動される。
【００５４】
オーディオシステム１０を構築する場合、最初にルート機器４−１を設定してオーディオシステム１０を構築する。その後、このオーディオシステム１０にルート機器４−１以外のオーディオ機器４を追加してゆく。ユーザは、以下の手順で作業する。ルート機器となるオーディオ機器４−１を有線ＬＡＮ２にケーブルに接続する。携帯電話機１上でコントローラ１をセットアップモードで起動する。オーディオ機器４−１のコネクトボタン５９Ａを押下する。ユーザが以上の作業を行えば、コントローラ１とルート機器４−１は、相互に通信し、自動でオーディオシステム１０を構築する。その後、オーディオシステム１０に新たなオーディオ機器４を追加する場合、ユーザは、コントローラ１をセットアップモードで起動し、追加するオーディオ機器４の電源をオンして（無線ＬＡＮ通信部５６，５７を起動して）、コネクトボタン５９Ａを押下すれば、そのオーディオ機器４は、コントローラ１およびルート機器４−１と通信し、上述のＳＳＩＤからパスワードを自動生成することで、自動でオーディオシステム１０に追加される。
【００５５】
図８〜図１１を参照して、オーディオシステム１０の構築時、および、オーディオシステム１０へのオーディオ機器４の追加時におけるコントローラ１とオーディオ機器４との通信手順について説明する。
【００５６】
図８は、新規にオーディオシステム１０を構築する場合のコントローラ１とルート機器となるオーディオ機器４−１との通信手順を示す図である。携帯電話機１は、オーディオシステム制御プログラム７０が起動されて、コントローラ１として機能している。ユーザの操作によってコントローラ１がセットアップモードになると(Ｓ３１)、表示部４１にオーディオ機器４のコネクトボタン５９Ａを押下することを促す案内画面が表示される。この画面の案内に従いユーザはオーディオ機器４−１のコネクトボタン５９Ａを押下する（Ｓ４１）。次に、コントローラ１は、有線ＬＡＮ２に接続された新規のオーディオ機器を検索する（Ｓ３２）。この検索はポーリングなど返信を要求するメッセージを送信することで行われる。オーディオ機器４−１は、この検索に対して応答する（Ｓ４２）。これにより、コントローラ１とオーディオ機器４−１は、有線ＬＡＮ２，アクセスポイント３を介して相互通信を開始する。
【００５７】
オーディオ機器４−１は、自分自身の機器情報（無線ＬＡＮ通信部のＭＡＣアドレスやＩＰアドレスなど）をコントローラ１に送信する（Ｓ４３）。コントローラ１は、このオーディオ機器４−１をルート機器とする新規のオーディオシステム１０を構築する。オーディオシステム１０にシステムＩＤを割り当て（Ｓ３４）、図５、図６に示すシステム管理テーブルおよびオーディオ制御テーブルを作成して、現在通信しているオーディオ機器４をルート機器とするオーディオシステム１０を構築する（Ｓ３５）。オーディオシステム１０が構築されると、システム管理テーブルをルート機器となったオーディオ機器４−１に送信し（Ｓ３６）、セットアップモードを終了する（Ｓ３７）。オーディオ機器４−１はこのシステム管理テーブルを受信して（Ｓ４４）、保存する（Ｓ４５）。これにより、オーディオ機器４−１を基幹の構成要素（コンポーネント）であるルート機器とするオーディオシステム１０が構築される。以後は、コントローラ１によって、再生楽曲やその音量などを制御されるようになる。オーディオ機器４は、ステルスモードでアクセスポイントを起動する（Ｓ４６）。
【００５８】
コントローラ１は、Ｓ３５におけるシステム管理テーブルおよびオーディオ制御テーブルの作成時に、図７に示すルームテーブルをコントローラ１のユーザに提示して、オーディオ機器４−１の設置場所を選択させる。ユーザによって設置場所が選択されると、その設置場所（ルームＩＤ）をオーディオ制御テーブルに登録する。コントローラ１は、これと同時に、このオーディオ機器４−１の表示用の機器名称を生成し、生成した機器名称をオーディオ機器４−１に設定する。この機器名称は、非グループ用の機器名称であり（詳細後述）、選択されたルーム名とされる。すなわち、オーディオ機器４−１の場合「Ｌｉｖｉｎｇ  Ｒｏｏｍ」である。この機器名称は、コントローラ１以外の通信機器（たとえばネット配信コントローラ１００）がオーディオ機器４−１にアクセスしたときに表示される名称である。オーディオ機器４−１は、受信した設定要求に基づいて、メモリ６０に機器名称を記憶する。
【００５９】
図９は、構築済みのオーディオシステム１０に、新たなオーディオ機器が追加される場合の通信手順を示す図である。コンポーネント機器は、既にオーディオシステム１０の構成要素となっているオーディオ機器４であり、ここでは、内部アクセスポイント４Ａを起動しているルート機器またはノード機器である。新規機器は、これから新たに追加されるオーディオ機器４である。
【００６０】
コントローラ１として機能している携帯電話機１が、ユーザの操作によってセットアップモードになる(Ｓ５１)と、表示部４１にオーディオ機器４（新規機器）のコネクトボタン５９Ａを押下することを促す案内画面が表示される。この画面の案内に従いユーザは新規機器のコネクトボタン５９Ａを押下する（Ｓ７１）。コントローラは、既に登録されているオーディオ機器４であるコンポーネント機器に、内部アクセスポイント４Ａのステルスモードを解除するよう指示する（Ｓ５２）。これによりコンポーネント機器は、内部アクセスポイント４Ａのステルスモードを解除し、自己の存在を知らせるビーコンフレームを送信して新規機器のパッシブスキャンを可能にする（Ｓ６１）。次に、コントローラ１は、新規機器の検索を開始する（Ｓ５３）。
【００６１】
新規機器は、ユーザによってコネクトボタン５９Ａが押下されると（Ｓ７１）、イニシャル接続モードになり、接続可能なアクセスポイントを検索（パッシブスキャン）する（Ｓ７２）。この検索で、新規機器は、接続可能なアクセスポインとして、コンポーネント機器の内部アクセスポイント４Ａを発見する。上述したように、内部アクセスポイント４Ａは、新規機器から見てオーディオシステム１０の機器であることを識別可能なＳＳＩＤを有しており、かつ、そのＳＳＩＤ（またはＭＡＣアドレス）からパスワードを生成して接続可能である。新規機器は、発見した内部アクセスポイント４Ａのなかから最寄りの（最も接続しやすい）ものを選択し、このＳＳＩＤおよび生成したパスワードを用いて、選択した内部アクセスポイント４Ａに仮接続する（Ｓ７３）。この接続は、システム情報を取得するための仮接続であり、オーディオシステム１０に参加するための本接続ではない。そして、接続した内部アクセスポイント４Ａ（コンポーネント機器）からオーディオシステム１０の現時点でのシステム情報を取得する（Ｓ６２、Ｓ７４）。システム情報は、システム管理テーブルの全部または一部の内容からなる情報であり、定期的にルート機器４−１が更新して他のコンポーネント機器に配信される。新規機器は、取得したシステム情報に基づいて、オーディオシステム１０に参加するために最適のアクセスポイントを選択する（Ｓ７５）。この選択は、各アクセスポイントの電波強度、ルート機器４−１からの接続段数、そのアクセスポイントに接続されているコンポーネント機器の数などに基づいて行われ、通信条件がよさそうなアクセスポイントが選択される。
【００６２】
図８の例（Ｓ１００が実行されない例）では、仮接続した内部アクセスポイント４Ａが本接続においても最適であると判断し、接続先を変更しない場合の流れを示している。たとえば、ルート機器４−１の内部アクセスポイント４Ａ−1に接続されている場合等がこれに相当する。本接続で仮接続の内部アクセスポイント４Ａから接続先を変更する場合には、図８に示すＳ１００の区間で図９または図１０の手順が実行される。本接続が完了すると（図８の場合には仮接続を本接続としたのち）、新規機器は、コントローラ１からの新規機器検索メッセージ（Ｓ５３）を受信し、これに対して応答する（Ｓ７６）。これで新規機器は、コントローラ１と通信可能になる。これにより、新規機器は、コントローラ１によって再生する楽曲やその音量などが制御されるようになり、オーディオシステム１０の構成要素（コンポーネント）となる。
【００６３】
新規機器は、自分自身の機器情報（無線ＬＡＮ通信部のＭＡＣアドレスやＩＰアドレス、設置場所など）をコントローラ１に送信する（Ｓ７７）。コントローラ１は、この機器情報を受信し（Ｓ５４）、システム管理テーブルおよびオーディオ制御テーブルにこの新規オーディオ機器４を登録してこれらを更新する（Ｓ５５）。コントローラ１は、更新したシステム管理テーブルをルート機器４−１に送信して（Ｓ５６）、セットアップモードを終了する（Ｓ５７）。ルート機器４−１は、システム管理テーブルの全部または一部の内容からなるシステム情報を、接続確認メッセージとして、定期的に他のコンポーネント機器に配信する。セットアップモード終了の通知はコントローラ１から全てのオーディオ機器４に送信されるが、コントローラ１がルート機器４−１に対して行い、ルート機器４−１がオーディオシステム１０の他のオーディオ機器４に転送するようにしてもよい。
【００６４】
コントローラ１は、Ｓ５５におけるシステム管理テーブルおよびオーディオ制御テーブルの更新時に、図７に示すルームテーブルをコントローラ１のユーザに提示して、新規オーディオ機器４の設置場所を選択させる。ユーザによって設置場所が選択されると、その設置場所（ルームＩＤ）をオーディオ制御テーブルに登録する。コントローラ１は、これと同時に、この新規オーディオ機器４の表示用の機器名称を生成し、生成した機器名称を新規オーディオ機器４に設定する。機器名称は、選択されたルーム名とされる。すなわち、オーディオ機器４−２の場合「Ｄｉｎｉｎｇ  Ｒｏｏｍ」である。この機器名称は、非グループ用の機器名称であり（詳細後述）、コントローラ１以外の通信機器（たとえばネット配信コントローラ１００）が新規オーディオ機器４にアクセスしたときに表示される名称である。新規オーディオ機器４は、受信した設定要求に基づいて、メモリ６０に機器名称を記憶する。
【００６５】
ルート機器４−１からシステム情報を受信した新規機器は、このシステム情報を保存する（Ｓ７８）。こののち新規機器は、ステルスモードで内部アクセスポイント４Ａを起動する（Ｓ７９）。また、ルート機器４−１からシステム情報を受信したコンポーネント機器は、この情報で内部に記憶しているシステム情報を更新する（Ｓ６３）。そして、内部アクセスポイント４Ａをステルスモードに戻す（Ｓ６４）。以上の処理により、構築済みのオーディオシステム１０に新たな機器を追加することができる。なお、コンポーネント機器、新規機器ともに、ステルスモードで内部アクセスポイント４Ａを立てるのは、ルート機器、ノード機器のみであり、リーフ機器、ブランチ機器ではＳ６４、Ｓ７９の処理は行われない。
【００６６】
図１０は、新規機器が、Ｓ７５で仮接続の内部アクセスポイント４Ａを切断して、ツリー内の他の内部アクセスポイント４Ａに接続し直す場合の通信手順を示す図である。図９のＳ７５で本接続の接続先として他の内部アクセスポイント４Ａが選択されると、現在仮接続している内部アクセスポイント４Ａを切断し（Ｓ８１）、選択された内部アクセスポイント４Ａにシステム情報のアドレス情報を用いて本接続する（Ｓ８２）。こののち、図９のＳ７６に進む。
【００６７】
図１１は、新規機器が、Ｓ７５で仮接続の内部アクセスポイント４Ａを切断して、外部アクセスポイント３にブランチ機器として接続し直す場合の通信手順を示す図である。図９のＳ７５で本接続の接続先として外部アクセスポイント３が選択されると、現在仮接続している内部アクセスポイント４Ａを切断し（Ｓ９１）、イニシャル接続時のみの仮アクセスポイントをスタンドアローンで起動する（Ｓ９２）。すなわち、有線ＬＡＮ２には接続されず新規機器に接続されるのみの内部アクセスポイント４Ａを起動する。コントローラ１は、このイニシャル接続仮アクセスポイントのＳＳＩＤおよびパスワードを予め記憶している。すなわち、このＳＳＩＤおよびパスワードは、オーディオシステム制御プログラム７０に予めデータとして書き込まれている。したがって、コントローラ１は、Ｓ５３で開始した新規機器検索の中でこの仮アクセスポイントを発見し、外部アクセスポイント３との接続を一旦解除して、新規機器が起動した仮アクセスポイントに接続する（Ｓ８３）。コントローラ１は、携帯電話機１のシステムプログラムから外部アクセスポイント３のＳＳＩＤ、パスワードを取得することができない可能性が高いため、ここでは、ユーザに外部アクセスポイント３のＳＳＩＤおよびパスワードの入力を求める（Ｓ８４）。ＳＳＩＤの入力は、そのとき見えている接続先（ＳＳＩＤ）の一覧をディスプレイに表示し、ユーザに外部アクセスポイント３のＳＳＩＤを選択させる方式でよい。パスワード（通常は外部アクセスポイント３の本体に表記されている）は、ユーザに入力させる。
【００６８】
そして、この入力された接続情報を仮アクセスポイントを起動している新規機器に送信する（Ｓ８５）。新規機器がこの接続情報を受信する（Ｓ９３）。コントローラ１は、新規機器に外部アクセスポイント３の接続情報（ＳＳＩＤ，パスワード）を送信したのち、仮アクセスポイントとの接続を解消する（Ｓ８６）。新規機器は、外部アクセスポイント３の接続情報をコントローラ１から受信すると、仮アクセスポイントを停止する（Ｓ９４）。コントローラ１は、一旦接続を解除した外部アクセスポイント３に再度接続する（Ｓ８７）。新規機器も取得した接続情報を用いて外部アクセスポイント３に接続する（Ｓ９５）。こののち図９の手順にもどって、コントローラ１は新規機器検索を行い（Ｓ５３）、新規機器はこれに応答する（Ｓ７６）。なお、仮接続したコンポーネント機器から取得したシステム情報に外部アクセスポイント３の接続情報が含まれている場合は、Ｓ１０１で示した処理（Ｓ８３−Ｓ８７、Ｓ９２−９４）を省略して図１０と同じように外部アクセスポイント３に接続し直せばよい。
【００６９】
次に、図１２〜図１４に記載のオーディオシステム１０におけるコントローラ１（携帯電話機１）のコントロール画面（表示部４１の表示内容）を参照して、コントローラ１を用いたオーディオ機器４の制御手順（再生手順およびグループ設定手順）について説明する。図１２（Ａ）〜図１２（Ｄ）は、再生制御時のコントロール画面の一例を示す図である。図１３（Ａ）および図１３（Ｂ）は、グループ設定時のコントロール画面の一例を示す図である。図１４（Ａ）および図１４（Ｂ）は、グループ設定後の再生制御時のコントロール画面の一例を示す図である。
【００７０】
コントローラ１が起動されると、表示部４１にコントロール画面が表示される。最初に、図１２（Ａ）の初期メニュー画面が表示される。ユーザが、セットアップボタン９１をタップすると、タッチパネル４１０がこの操作を検出して上述したセットアップモードが開始される。また、ユーザが、同様にシステム接続ボタン９２をタップすると、オーディオシステム１０のオーディオ機器４との通信が開始される。なお、この実施形態では、ルーム（エリア）単位で制御が行われる。
【００７１】
まず、オーディオ機器４にオーディオソースを再生させる再生手順について説明する。オーディオ機器４との通信が開始されると、コントローラ１（携帯電話機１）のコントロール画面（表示部４１）に、図１２（Ｂ）に示すようなルーム選択画面（一覧画面）が表示される。ルーム選択画面には、オーディオ機器４が設置されているルームを選択するルーム選択ボタンが表示される。ルーム選択ボタンは、上述した背景画像上に部屋の名前（ルーム名）が表示された画像を有している。なお、オーディオ機器４に設定されている機器名称は、上述のルーム選択ボタンに表示されているルーム名と同一である。
【００７２】
図１２（Ｂ）の例では、３つのルーム選択ボタン９３〜９５が表示されている。ルーム選択ボタン９３は、リビングルームを選択するボタンであり、このボタンによりオーディオ機器４−１が選択される。ルーム選択ボタン９４は、ダイニングルームを選択するボタンであり、このボタンによりオーディオ機器４−２が選択される。ルーム選択ボタン９５は、ベッドルームを選択するボタンであり、このボタンによりオーディオ機器４−３が選択される。ユーザがルーム選択ボタン９３〜９５のいずれかを操作（タップ）すると、そのルームのオーディオ機器４が選択される。なお、図１２（Ｂ）の例では、コントロール画面に表示されているルーム選択ボタンは、９３〜９５の３つであるが、その他のルームボタンもコントロール画面をタッチ操作によりスクロールさせることで表示可能である。
【００７３】
ユーザによりルーム選択ボタンのいずれかが選択（タップ）されると、コントローラ１は、選択されたルームのソース選択画面を表示する。ソース選択画面では、選択されたルームに設置されたオーディオ機器４の再生可能（サービス可能）なソースを示すアイコンボタン（ソース選択画像）が表示される。図１２（Ｃ）は、ルーム選択ボタン９４のタップによりダイニングルームが選択された場合のソース選択画面を示している。このソース選択画面では、ダイニングルームに設置されているオーディオ機器４−３の再生可能なソースを示すアイコンボタン９７〜９９が表示されている。
【００７４】
アイコンボタン９７は、ＣＤを選択するボタンである。アイコンボタン９８は、配信サーバ５によるネット配信を選択するボタンである。アイコンボタン９９は、ＦＭ（ラジオ）を選択するボタンである。ユーザがアイコンボタンのうちの１つを選択することで、選択されたソースが再生される。
【００７５】
たとえば、図１２（Ｃ）において、アイコンボタン９７が選択されると、コントローラ１は、オーディオ機器４-３に対してＣＤの再生をスタートする旨のコマンドメッセージを送信し、図１２（Ｄ）に示すようなＣＤの再生画面（Ｎｏｗ  Ｐｌａｙｉｎｇ画面）を表示する。この画面には、ＰＬＡＹ／ＰＡＵＳＥボタンやボリュームスライダなどの操作部が表示されており、ユーザはこれら操作部を操作することでＣＤの楽曲（楽曲データ）の再生／停止・音量調節などを実行することができる。なお、図１２（Ｃ）において、アイコンボタン９８（Ｎｅｔ配信）が選択されると、携帯電話機１においてネット配信コントローラ１００が起動され、このオーディオ機器においてネット配信のコンテンツが再生される。
【００７６】
次に、複数のルーム（オーディオ機器４）で同じソースを同期して再生するグループの設定手順について説明する。グループ設定手順では、グループのマスタ（マスタ機器）となるオーディオ機器と、クライアント（クライアント機器）となるオーディオ機器とが選択される。グループ設定手順について、図１３を用いて説明する。
【００７７】
グループ設定手順は、図１２（Ｂ）に示すリンク（Ｌｉｎｋ）ボタン２３０を選択することで開始される。リンクボタン２３０が選択されると、図１３（Ａ）に示すマスタルーム選択画面が表示される。マスタルーム選択画面では、グループで同期再生されるオーディオ信号（オーディオソース）の供給元となるマスタを選択するためのマスタルーム選択ボタン２２１〜２２３が表示される。この画面で、たとえば、マスタルーム選択ボタン２２１が操作されると、リビングルームがマスタルーム（マスタエリア）として選択され、オーディオ機器４−１が同期再生のマスタとなる。なお、図１３（Ａ）では、理解の容易のために、マスタルーム選択ボタンとして３つのボタン１２１〜１２３のみ表示しているが、マスタとして選択可能なルームのボタンが全て表示されればよい。
【００７８】
マスタルームが選択されると、画面表示は図１３（Ｂ）に示すクライアントルーム選択画面に移行する。クライアントルーム選択画面では、グループのクライアントを選択するためのクライアントルーム選択ボタン２２５，２２６が表示される。クライアントルーム選択ボタン２２５または２２６がタップされると、タップされたボタン内のチェックボックスにチェックマークが表示され、選択された状態となる。図１３（Ｂ）では、クライアントルーム選択ボタン２２５，２２６の両方がタップされた状態を示している。この場合、クライアントルーム選択ボタン２２５，２２６の両方のチェックボックスにチェックマークが表示され、ダイニングルームおよびベッドルームがクライアントルーム（クライアントエリア）となり、オーディオ機器４−２，４−３がクライアントとなる。
【００７９】
以上の手順ののち、ユーザによって決定（ＯＫ）ボタン２２７が操作されることで、グループの設定が完了する。そして、このグループの情報が、図６に示すオーディオ制御テーブルに登録される。図６に示すオーディオ制御テーブルでは、上述した例のように、マスタルームがリビングルーム（マスタ：オーディオ機器４−１）であり、クライアントルームがダイニングルームおよびベッドルーム（クライアント：オーディオ機器４−２，４−３）であるグループの情報が登録されている。グループが設定されると、グループに所属するオーディオ機器４では、同期して同じオーディオ信号（オーディオソース）が再生される。オーディオソースはマスタのオーディオ機器４（マスタ機器）で再生され、そのオーディオ信号がマスタ機器からクライアントのオーディオ機器４（クライアント機器）へ配信される。したがって、グループで再生されオーディオソースは、マスタ機器が再生可能なものに限定される。
【００８０】
グループ設定操作の完了後、コントローラ１は、マスタのオーディオ機器４に対して、グループ用の機器名称の設定要求を送信する。上述の例では、コントローラ１は、マスタであるオーディオ機器４−１に、グループ用の機器名称の情報としてグループ名「Ｌｉｖｉｎｇ  Ｒｏｏｍ+２Ｒｏｏｍｓ」の設定要求を送信する。そして、オーディオ機器４−１では、上記グループ名をメモリ６０の「グループ名」の記憶エリアに記憶する。
【００８１】
非グループ用の機器名称は、そのオーディオ機器４の設置されているルームのルーム名であって、グループに関する情報は含まれない。一方、グループ用の機器名称は、そのオーディオ機器４の設置されているルームのルーム名に、グループに関する情報（たとえば上述したクライアントルームのルーム数）が含まれる。なお、上述のグループ設定操作の完了後、グループ設定が解除されたマスタに対しては、非グループ用の機器名称の情報を含めた機器名称の設定要求が送信される。
【００８２】
グループ設定操作の完了後、図１３（Ｂ）に示すクライアントルーム選択画面からルーム選択画面に表示が戻る。図１４（Ａ）は、グループ設定が存在する場合のルーム選択画面の例を示している。グループが設定されると、ルーム選択画面にもグループ設定が反映される。すなわち、図１４（Ａ）の例では図６のグループ設定が反映され、マスタルームであるリビングルームのルーム選択ボタン９３′では、ルーム名の表示がグループのマスタルームであることを特定できるグループ名（Ｌｉｖｉｎｇ  Ｒｏｏｍ+２Ｒｏｏｍｓ）に変更されている。また、クライアントルームのルーム名（Ｂｅｄ  Ｒｏｏｍ，  Ｄｉｎｉｎｇ  Ｒｏｏｍ）が加えられ、また背景画像にぼかしが加えられている。また、クライアントルームであるダイニングルームおよびベッドルームのルーム選択ボタンは、非表示（削除）され、これ代わって、ＫｉｔｃｈｅｎおよびＲｏｏｍ  Ａのルーム選択ボタン９４′、９５′が表示されている。ルーム名「Ｌｉｖｉｎｇ  Ｒｏｏｍ+２Ｒｏｏｍｓ」の「２Ｒｏｏｍｓ」は、リビングルームをマスタとするグループにクライアントとして２つのルーム（オーディオ機器４−２，４−３）が含まれていることを示す。なお、オーディオシステムコントローラ１におけるこのグループ名の表示は、オーディオ制御テーブル（図６）を参照して行われるため、マスタ機器４−１に対して表示名称の問い合わせは不要である。
【００８３】
その後、図１４（Ａ）に示すルーム選択画面でリビングルームのルーム選択ボタン９３′が選択された場合、図１４（Ｂ）に示すようにマスタ機器であるオーディオ機器４−１のソース選択画面が表示される。図１４（Ｂ）のソース選択画面でソースが選択されたのち、図１２（Ｄ）と同様な再生画面が表示され、リビングルーム、ダイニングテーブルおよびベッドルームのオーディオ機器４−１〜４−３での同期再生が実行される。なお、同期再生の制御は、特開２０１５−１０００８５号公報に記載されているような技術を適用すればよい。
【００８４】
次に、図１５を参照してオーディオシステム１０におけるコントローラ１（制御部２０）の処理動作について説明する。ユーザによってシステム接続ボタン９２が押されると（Ｓ１５０）、この処理が開始される。なお、一部の処理については図示を省略する。
【００８５】
まず、システム管理テーブル、オーディオ制御テーブル、ルームテーブルなどに基づいて、図１２（Ｂ）などに示すようなルーム選択画面を表示部４１に表示させる（Ｓ１５１）。そして、ルーム選択画面上でいずれかのボタンが操作されるまで待機する（Ｓ１５２）。いずれかのボタンが操作されると（Ｓ１５２でＹＥＳ）、操作されたボタンに応じた処理を行う（Ｓ１５３）。リンクボタン２３０が操作された場合、グループ設定処理（図１６参照）を行う。また、ルーム選択ボタンのいずれかが操作された場合、図１２（Ｃ）などに示すような、選択されたルームのソース選択画面を表示部４１に表示させる（Ｓ１５５）。具体的には、選択されたルーム選択ボタンに対応するオーディオ機器のオーディオ制御テーブルのサービスの情報、ルームテーブルなどに基づいてソース選択画面を表示させる。そして、いすれかのソースのアイコンボタンが操作されるまで待機する（Ｓ１５６）。アイコンボタンが操作されると（Ｓ１５６でＹＥＳ）、図１２（Ｄ）に示すような、選択されたアイコンボタン（ソース）に対応する再生画面が表示され、再生画面上での処理が進行する。
【００８６】
次に、図１６を参照してこのオーディオシステム１０におけるコントローラ１のグループ設定処理について説明する。図１６は、コントローラ１（制御部２０）の第１グループ設定処理を示すフローチャートである。ユーザによってルーム選択画面中のリンクボタン２３０が操作されると（Ｓ１７０）、この処理が開始される。
【００８７】
まず、図１３（Ａ）に示すようなマスタルーム選択画面を表示部４１に表示させ（Ｓ１７１）、マスタルームが選択されるまで待機する（Ｓ１７２）。マスタルームが選択されると（Ｓ１７２でＹＥＳ）、図１３（Ｂ）などに示すように、選択されたマスタルームに対応するクライアントルーム選択画面を表示部４１に表示させる（Ｓ１７３）。このとき、クライアントルーム選択画面には、チェックボックスにチェックマークが表示されていない初期状態のクライアントルーム選択画面が表示される。
【００８８】
そして、クライアントルームが選択される（Ｓ１７４でＹＥＳ）毎にクライアントルーム選択画面の表示を更新する（Ｓ１７５）。すなわち、選択されたルームのチェックボックスにチェックアイコンを追加するように画面を更新する。また、選択されたルームのチェックボックスにチェックアイコンがある場合にはチェックアイコンを削除するように画面を更新する。そして、選択が確定するまでＳ１７４，Ｓ１７５の処理を繰り返し実行する（Ｓ１７６）。選択が確定すると（Ｓ１７６でＹＥＳ）、選択結果に基づいてオーディオ制御テーブル（図６）を更新する（Ｓ１７７）。
【００８９】
その後、オーディオ制御テーブルの更新内容に基づいて、同期再生および同期再生解除の設定を行わせるコマンドメッセージをオーディオ機器４に送信する（Ｓ１７８）。より詳細には、マスタのオーディオ機器４に対してクライアントの機器ＩＤを送信し、ソースの再生音（オーディオ信号）をクライアントにも出力する設定の指示を行う。また、クライアントのオーディオ機器４に対してマスタの機器ＩＤを送信し、マスタのオーディオ機器４から入力されるオーディオ信号を、スピーカから出力する設定の指示を行う。すなわち、クライアントのオーディオ機器４は、マスタ以外の他のソースの再生は行わない設定となる。さらに、同期再生のグループ設定を解除されたオーディオ機器４に対してクライアントへの出力設定、マスタからの入力設定などをリセットする指示を行う。
【００９０】
次に、機器名称の設定要求のコマンドメッセージをマスタのオーディオ機器４およびマスタを解除されたオーディオ機器４に送信する（Ｓ１７９）。より詳細には、マスタに設定されたオーディオ機器４に対してグループ用の機器名称（グループネーム）を送信し、機器名称を追加設定する指示を行う。また、マスタを解除されたオーディオ機器４に対して非グループ用の機器名称を削除する（ルーム名に戻す）指示を行う。その後、図１５に示すＳ１５１の処理に移行してルーム選択画面が表示される。
【００９１】
オーディオ機器４は、ネット配信コントローラ１００などの他のアプリケーションプログラムからアクセスがあった場合、自身がグループのマスタ機器である場合には、機器名称としてグループ名を返し、そうでない場合には機器名称としてルーム名を返す。なお、グループのクライアント機器であった場合には、他アプリケーションプログラムに対して応答しないようにしてもよい。これにより、ネット配信コントローラ１００などの他のアプリケーションプログラムがオーディオ機器４にアクセスした場合でも、オーディオシステム１０によって設定されている（オーディオシステムコントローラ１が管理している）グループを表示することが可能になる。すなわち、図１７（Ａ）および図１７（Ｂ）に示すようなネット配信コントローラ１００のコントロール画面などにオーディオ機器４の情報を表示する際に参照される。
【００９２】
次に、図１７のネット配信コントローラ１００（携帯電話機１００）のコントロール画面（表示部１４１の表示内容）を参照して、ネット配信コントローラ１００を用いたオーディオ機器４のネット配信（楽曲配信サービス）の制御手順（再生手順）について説明する。図１７（Ａ）および図１７（Ｂ）は、ネット配信コントローラ１００による再生制御時のコントロール画面の一例を示す図である。
【００９３】
ネット配信コントローラ１００が起動されると、ネットワーク９に接続されたオーディオ機器４に対して通信接続要求が送信される。この通信接続要求は、ネット配信コントローラ１００が管理する楽曲配信サービスにアクセスする権限を有するオーディオ機器に対して応答を求める接続要求である。該当するオーディオ機器４がこの接続要求に対して応答することでネット配信コントローラ１００にオーディオ機器４の存在が認識される。オーディオ機器４は、応答する際にＩＰアドレス、機器名称（ルーム名またはグループネーム）の情報を含めてネット配信コントローラ１００に送信する。
【００９４】
その後、この接続要求に対して応答があったオーディオ機器４の一覧画面として、図１７（Ａ）および図１７（Ｂ）に示すような機器選択画面が表示部１４１に表示される。機器選択画面では、通信セッションが確立したオーディオ機器４を選択する機器選択ボタンが表示される。機器選択ボタンは、機器名称が表示された画像を有している。機器選択ボタンに含まれる機器名称は、オーディオ機器４から受信した機器名称（ルーム名またはグループ名）の情報に基づいて表示されている。したがって、オーディオ機器４がグループのマスタである場合には、グループ用の機器名称が機器選択ボタンに表示され、オーディオ機器４がグループに所属していない場合には、非グループ用の機器名称が機器選択ボタンに表示される。最初に、図１７（Ａ）を参照して、非グループ用の機器名称が表示される機器選択ボタンについて説明する。
【００９５】
図１７（Ａ）は、ネットワーク９の全てのオーディオ機器４−１〜４−６がグループ設定されていない状態で、全てのオーディオ機器４−１〜４−６との通信セッションが確立した状態を示す。
【００９６】
図１７（Ａ）の例では、４つの機器選択ボタン２９３〜２９６が表示されている。機器選択ボタン２９３は、オーディオ機器４−１（リビングルーム）を選択するボタンであり、オーディオ機器４−１の非グループ用の機器名称（すなわちルーム名）「Ｌｉｖｉｎｇ  Ｒｏｏｍ」が表示されている。機器選択ボタン２９４は、オーディオ機器４−２（ダイニングルーム）を選択するボタンであり、オーディオ機器４−２の機器名称「Ｄｉｎｉｎｇ  Ｒｏｏｍ」が表示されている。ルーム選択ボタン２９５は、オーディオ機器４−３（ベッドルーム）を選択するボタンであり、オーディオ機器４−３の機器名称「Ｂｅｄ  Ｒｏｏｍ」が表示されている。機器選択ボタン２９６は、オーディオ機器４−４（キッチン）を選択するボタンであり、オーディオ機器４−４の機器名称「Ｋｉｔｃｈｅｎ」が表示されている。ユーザが機器選択ボタン２９３〜２９６のいずれかを操作（タップ）すると、そのルームのオーディオ機器４が選択される。なお、図１７（Ａ）の例では、コントロール画面に表示されている機器選択ボタンは４つであるが、その他の機器選択ボタンもコントロール画面をタッチ操作によりスクロールさせることで表示可能である。
【００９７】
その後、ユーザにより機器選択ボタンのいずれかが選択（タップ）されると、楽曲配信サービスの配信サーバ６に登録されている楽曲データの中から再生させたい楽曲データを指定するための画面が表示部１４１に表示される。楽曲の指定後、選択されたオーディオ機器４に対する再生画面が表示部１４１に表示され、内部処理では上記オーディオ機器４に対して、ユーザが指定した配信サーバ６の楽曲データを再生するコマンドメッセージが送信される。たとえば、楽曲配信サービスによる配信データを再生ソースとするソース設定情報、指定された楽曲データが登録されている配信サーバ６および楽曲データのファイル名などを含めた再生のコマンドメッセージが送信される。
【００９８】
次に、図１７（Ｂ）を参照して、グループ用の機器名称が表示される機器選択画面について説明する。図１７（Ｂ）は、図６のオーディオ制御テーブルで例示しているように、オーディオ機器４−１（リビングルーム）をマスタとし、オーディオ機器４−２，４−３（ダイニングルームおよびベッドルーム）をクライアントとするグループが設定された状態で、オーディオ機器４−１，４−４〜４−６との通信セッションが確立した状態を示す。
【００９９】
なお、オーディオ機器４−２，４−３は、クライアントであることから機器単独での再生指示を受け付けないためネット配信コントローラ１００の通信接続要求に対して応答しない。したがって、図１７（Ｂ）では、オーディオ機器４−２，４−３（ダイニングルーム、ベッドルーム）のルーム選択ボタン２９４，２９５は表示されず、他の４つのルーム選択ボタン２９３′，２９６〜２９８が表示されている。
【０１００】
図１７（Ｂ）の例では、オーディオ機器４−１（リビングルーム）の機器選択ボタン２９３′は、グループ用の機器名称である「Ｌｉｖｉｎｇ  Ｒｏｏｍ+２Ｒｏｏｍｓ」が表示されている。したがって、ネット配信コントローラ１００の表示部１４１においても、オーディオ機器４−１がグループ設定されていることを特定することができる。その他のルーム選択ボタン２９６〜２９８では、対応するオーディオ機器４−４，４−５，４−６はグループ（マスタ）ではないので、非グループ用の機器名称が表示されている。
【０１０１】
なお、ネット配信コントローラ１００は、通信セッションが確立したオーディオ機器４に対して、定期的に機器名称の情報を受信しているので、グループの設定変更などがあった場合であって設定変更に応じた機器選択ボタンの表示が行われる。
【０１０２】
以上のように、コントローラ１によって、グループの設定状況に応じたオーディオ機器４の機器名称の表示の変更が可能となる。したがって、ネット配信コントローラ１００などでの機器名称の表示でもオーディオ機器４がグループに所属しているのかを特定することが可能になる。
【０１０３】
なお、上述の実施形態では、携帯電話機１００がネット配信制御プログラム１７０を実行させているが、携帯電話機１がネット配信制御プログラム１７０を実行してもよい。
【０１０４】
また、上述の実施形態では、機器名称としてルーム名が用いられているが、特にこれに限定されるものではない。たとえば、オーディオ機器の機種名称（たとえば、「ＡＶレシーバ」）を用いてもよい。
【０１０５】
また、上述の実施形態では、マスタのオーディオ機器についてのみグループ用の機器情報が設定されるが、クライアントのオーディオ機器にも設定してもよい。
【０１０６】
さらに、上述の実施形態では、グループ用の機器名称として、クライアントルーム数の情報が含まれているが、グループ設定されていることが把握できる表示態様であれば、特にこれに限定されるものではない。たとえば、クライアントルーム数に代えて、クライアントルームのルーム名を含めるようにしてもよい。
【０１０７】
また、上述実施形態では、オーディオ機器４が機器名称として、グループ用の機器名称（グループ名）および非グループ用の機器名称（ルーム名）の両方をメモリ６０に記憶しているが、一つの記憶エリアにルーム名／グループ名のいずれか一方を書き換えて記憶するようにしてもよい。この場合、コントローラから機器名称の設定要求を受信する毎に、メモリ６０に記憶している機器名称を非グループ用の機器名称（ルーム名）からグループ用の機器名称（グループ名）に、または、グループ用の機器名称（グループ名）から非グループ用の機器名称（ルーム名）に更新すればよい。
【０１０８】
また、上述の実施形態では、１ルームに１台のオーディオ機器が設置されているが、１ルームに複数台のオーディオ機器が設置されていてもよい。この場合、マスタルームに複数台のオーディオ機器が設置されていれば、たとえば、ホップ数に応じて複数台のうちから１台のオーディオ機器を同期再生のマスタとして設定すればよい。
【０１０９】
また、上述の実施形態では、オーディオ機器のネットワーク接続時にシステム管理テーブル、オーディオ制御テーブルなどが自動生成されているが、特にこれに限定されるものではない。ユーザが必要な情報を直接にコントローラ１などに入力してもよい。
【０１１０】
また、上述の実施形態では、ルーム選択画面などが表示されてルーム（エリア）単位で再生を実行するオーディオ機器の選択やグループ設定が行われているが、オーディオ機器単位で行うようにしてもよい。
【０１１１】
なお、この発明のオーディオ機器は、映像再生機能を持つオーディオ・ビジュアル（ＡＶ）機器であってもよく、これらが混在するシステムを含む。また、この実施形態においては、制御端末装置を、オーディオシステム制御プログラム１７０（アプリケーションプログラム）がインストールされた携帯電話機１００で実現しているが、それ以外の構成であってもよい。たとえば、タブレットにオーディオシステム制御プログラム１７０をインストールしたものであってもよく、専用の端末装置であってもよい。
【符号の説明】
【０１１２】
１  携帯電話機（コントローラ）
２  有線ＬＡＮ
３  アクセスポイント（外部アクセスポイント）
４（４−１〜４−６）  オーディオ機器（コンポーネント機器）
４Ａ（４Ａ−１〜４Ａ−３）  内部アクセスポイント
１０  オーディオシステム
５０  制御部
１００  携帯電話機（ネット配信コントローラ）
１２０  制御部
１３０  操作部
１４１  表示部
【図１】
0006569441.tif 000002
【図２】
0006569441.tif 000003
【図３】
0006569441.tif 000004
【図４】
0006569441.tif 000005
【図５】
0006569441.tif 000006
【図６】
0006569441.tif 000007
【図７】
0006569441.tif 000008
【図８】
0006569441.tif 000009
【図９】
0006569441.tif 000010
【図１０】
0006569441.tif 000011
【図１１】
0006569441.tif 000012
【図１２】
0006569441.tif 000013
【図１３】
0006569441.tif 000014
【図１４】
0006569441.tif 000015
【図１５】
0006569441.tif 000016
【図１６】
0006569441.tif 000017
【図１７】
0006569441.tif 000018